(57)【特許請求の範囲】
【請求項１】
１つまたはそれより多くのリングを含んでなるとともに伝送遅延を示すデータ伝送媒体を含んでなるリングネットワーク内でエラーなし交換接続を行うための方法であって、前記ネットワークが前記伝送媒体に沿って第１の経路と第２の経路を含む複数のデータ伝送経路を規定する方法において、
前記第１および第２の経路の少なくとも予め決定されたセクションの伝送遅延を比較するステップ、
前記第１および第２の経路の少なくとも１つに、少なくともその一部が前記比較の結果に基づく値である予め定められた第１の遅延を加えるステップ、
前記第１および第２の経路上に伝送された信号の整列（ａｌｉｇｎｍｅｎｔ  ）を可能とし、前記第１および第２の経路間におけるエラーなし交換接続を可能とするために前記第１および第２の経路の少なくとも１つに予め定められた第２の遅延を加えるステップ、
前記第１および第２の経路の間で交換を行うステップ、並びに
第１および第２の経路の少なくとも１つにおいて、累積遅延を減じるために前記第１および第２の遅延の少なくとも１つを調整するステップを含んでなることを特徴とする方法。
【請求項２】
前記第１の遅延が加えられる前記第１および前記第２の経路の１つに沿った前記伝送遅延が前記第１および第２の経路の他方に沿った前記伝送遅延よりも大きい場合に、前記第１の遅延の前記値が実質的に０であることを特徴とする請求項１記載の方法。
【請求項３】
前記第２の遅延が加えられる前記第１および前記第２の経路の１つに沿った前記伝送遅延が前記第１および第２の経路の他方に沿った前記伝送遅延よりも大きい場合に、前記第２の遅延の値が実質的に０であることを特徴とする請求項１記載の方法。
【請求項４】
前記第１の遅延の前記値が、前記セクションに沿った遅延の２倍から全体としての前記リングネットワークに沿った遅延を引いたものに実質的に等しいことを特徴とする請求項１記載の方法。
【請求項５】
前記比較するステップが、前記第１および第２の経路の前記セクションの長さが派生されるデータを蓄積するステップ、および
前記長さを比較するステップを含んでなることを特徴とする請求項１記載の方法。
【請求項６】
前記データを蓄積するステップが前記データを前記信号ととともに伝送するステップを含んでなることを特徴とする請求項５記載の方法。
【請求項７】
前記第１および第２の遅延の少なくとも１つを調節するステップが、前記第１および第２の遅延の１つを削除するステップを含んでなることを特徴とする請求項１記載の方法。
【請求項８】
前記第１および第２の遅延の少なくとも１つを調節するステップが、前記第１および前記第２の遅延の少なくとも１つをシフトするステップを含んでなることを特徴とする請求項１記載の方法。
【請求項９】
前記ネットワークが第１のリングおよび第２のリングを含んでなり、前記第１の遅延を加える前記ステップが前記第１のリング内で発生し、また前記第１および前記第２の遅延の少なくとも１つを調節する前記ステップが前記第１および第２の遅延の少なくとも１つを前記第２のリングにシフトするステップを含んでなることを特徴とする請求項１記載の方法。
【請求項１０】
前記ネットワークが第１のリングおよび第２のリングを含んでなり
、前記第１の遅延を加える前記ステップが前記第２のリング内で発生し、予め決定された第２の遅延を加える前記ステップが予め決定された第２の遅延を前記第１のリングに加えるステップを含んでなり、また前記第１および前記第２の遅延の少なくとも１つを調節するステップが、前記第１のリングから少なくとも前記第２の遅延を削除するステップを含んでなることを特徴とする請求項１記載の方法。
【請求項１１】
前記第１および第２の遅延の少なくとも１つを調節するステップが第３の遅延を前記第２のリング内の前記第２の経路に加えるステップをさらに含んでなることを特徴とする請求項１記載の方法。
【請求項１２】
アクセスノードおよび出口ノード（ｅｇｒｅｓｓ  ｎｏｄｅ  ）を含む複数の交換ノードを接続するリング構成の、高速リンクのためのエラーなし保護交換を行うための方法において、
リング長さおよびアクセスノードと出口ノードの間のトラヒック信号の伝播のための第１の経路を規定するリングのセクションの長さを計測するステップ、
リングのセクションの長さがリング長さの半分より短いときにのみ前記トラヒック信号の伝播に第１の遅延を導入するステップ、並びに
アクセスノードと出口ノードを接続するための代替えの経路に対する必要に応じて、第１の経路上および代替えの経路上のトラヒック信号が位相整列されるように、代替えの経路を横切るトラヒック信号の伝播に第２の遅延を導入するステップを含んでなることを特徴とする方法。
【請求項１３】
前記第１の遅延が出口ノードに導入されることを特徴とする請求項１２記載の方法。
【請求項１４】
前記トラヒック信号の伝播における第１の経路の故障に応答して、代替えの経路に対する第２の遅延が第１の経路の長さの２倍からリングの長さを引いたものに等しくなるように設定するステップをさらに含んでなることを特徴とする請求項１２記載の方法。
【請求項１５】
第２の遅延が設定される前に出口ノードにおいて第１の遅延を取り除くステップをさらに含んでなることを特徴とする請求項１３および１４記載の方法。
【請求項１６】
リングのセクションの長さがリング長さの半分よりも長いときに前記第２の遅延を０に設定することを特徴とする請求項１２記載の方法。
【発明の詳細な説明】
【０００１】
【発明の属する技術分野】
本発明はリングネットワークにおけるエラーなし交換に関し、特に、遅延を使用したこのような交換技術に関するものである。
【０００２】
【従来の技術】
光ファイバー媒体のトラヒック搬送容量は約２０年の間に指数的に増大した。非常に短い時間内でのネットワークの故障からトラヒックを回復するための能力はサービス提供者およびそれらのカスタマにとって非常に重要になっていす。次世代のファーバーのＳＯＮＥＴネットワークでは、ネットワーク内で１つあるいは複数の故障があった場合において比較的短時間内で送付先への影響を受ける信号を故障位置からバイパスしてリルーティングする回復方法によって高度に信頼性のあるサービスがすでに提供されている。使用される回復方法のタイプに基づいて、回復時間は５０ミリ秒（ｍｓｅｃ）から数分の間で変化する。
【０００３】
不測の故障に加えて、ネットワーク内で能動的なサービスを一時的に中断させる計画された活動がある。このような活動は、ファーバー経路上の工事、信号経路上のノード設備更新、および信号のその元の経路からの一時的な回復およびその逆などである。
【０００４】
不測のネットワーク故障の場合において各信号経路に対して少なくとも３つの独立した専用の経路を必要とするエラーなしの交換能力を実現するためには非常に高価になる一方、計画された侵入の場合においてＳＯＮＥＴ／ＳＤＨおよびＡＴＭネットワーク内でのエラーなしの交換のための方法はすでに提案され実施されている。侵入の５０％が計画されたもので、５０％が不測のものである場合、侵入が計画されたものあるいは不測のものであるかに拘らず、それらの元の経路に信号を戻すために他と関連しているので、現在のネットワーク構築ではエラーなしで信号をリルーティングするですべての侵入の７５％を除くことが可能である。
【０００５】
すべての侵入の大多数を構成するあらゆる計画された侵入を防止するためのエラーなし交換は、ネットワークを高い品質で使用するビジネスカスタマにとっては特に重要となる。このようなカスタマのために、高品質で最小限の侵入のサービスをエラーなし交換で提供することは重要となる。
【０００６】
ＳＯＮＥＴ  Ｂｉｄｅｒｅｃｔｉｏｎａｌ  Ｌｉｎｅ  Ｓｗｉｔｃｈｅｄ  Ｒｉｎｇ（ＢＬＳＲ）ベースのネットワークにおいては、リング容量の効率的な利用はリング内部のトラヒックパターンに依存している。このパターンはリング内部のトラヒックの増大とともに変化することから、ＢＬＳＲ内部のトラヒック祭配列能力は顕著に増大する。よって、エラーなしの交換能力はＢＬＳＲ環境では重要となる。エラーなしの保護交換は交差結合ベースのメッシュネットワーク内で提供されているが、ＢＬＳＲのようなリングネットワーク内でエラーなしの保護交換を提供するための方法は知られていない。
【０００７】
【発明が解決しようとする課題】
従来のエラーなし交換方法では、動作チャンネル上の信号は発信側ノードで複製され、また、１つは運用のチャネルで他は物理的な代替え経路上の代替えチャネルからの両方の複製物が相手先ノードにおいて受信される。図１は、ノードＡとＣとの間の回路に対する、２つの代替えの経路、元の経路ＡＣおよび代替えの経路ＡＢＣを例示したものである。関連するノードは、終端設備（ＰＴＥ）だけでなく、光波端末ＬＴおよびＤＳＣ  ３／３交差接続システムに設けられている。局Ａは１秒あたり１４０ミリオンビット（Ｍｂ／ｓ）回路ＤＳ３、Ｅ４からデータを受信する。
【０００８】
発信側ノードＡでは、代替え経路ＡＢＣ（図２）に信号が交差されている。受信側ノードＣでは、両方の信号を受信する交差接続システムには各信号に対してサイズ２ｄの１つのエラスティックストアが設けられている。ｄの値は元の経路（ＡＣ）といずれかの他の可能な代替え経路の間の最大の差分遅延に等しい。信号が第１お時間に対して確立されたときに、ｄに等しい遅延が終端ノードＣにおいて元の信号上のエラスティックストアに加えられる。経路ＡＣおよびＡＢＣ上で同時に伝送された信号は次いで、代替えの経路ＡＣＢ上でのエラスティックストアにおける遅延を調節することにより整列される。代替えチャネルのフレーム内のペイロードは次いで動作チャネル内のペイロードと整列されて、２つの異なるＳＯＮＥＴ／ＳＤＨフレーム内の２つの同一なＳｙｎｃｈｒｏｎｏｕｓ  Ｐａｙｌｏａｄ  Ｅｎｖｅｌｏｐｅ（ＳＰＥ）が処理される。信号を単一ビットエラーなしで経路ＡＣからＡＢＣに交換するためのエラーなしの交換が次いで行われる。
【０００９】
公知のエラーなし交換の別の例が、米国特許第５，０５１，９７９号および５，２８５，４４１号に開示されている。
上記した方法は交差結合ベースのネットワークに対しては十分であるが、リングネットワークには適用できない。本発明はリングネットワーク内のエラーなし交換を提供するための問題を解消するものである。
【００１０】
【課題を解決するための手段】
本発明と関連して使用されるのに適当なネットワークは、１つまたはそれより多くのリングを有し、また２つまたはそれより多くのデータ伝送経路を含んでいる。このようなリングネットワーク内では、エラーなし交換は２つまたはそれより多くの経路内において固有の伝送遅延を比較することにより達成される。比較を行う１つの方法はセクションの長さを比較することである。第１の遅延は２つの経路の少なくとも１つに加えられる。値は伝送遅延の比較の結果に少なくとも一部が依存している。経路上を伝送される信号の整列を行いまた２つの経路間のエラーなし交換を行うため、第２の遅延が２つの経路の少なくとも１つに加えられる。交換が次いで２つの経路の間で行われ、また第１および第２の遅延の少なくとも１つが、経路の少なくとも１つ上の累積的な遅延を減じるために調節される。
【００１１】
本発明の他の特徴によれば、交換ノードを接続するリング形状のリンクに対するエラーなし保護交換はリング長さおよびアクセスノードと出口ノードの間の第１の経路を規定するリングのセクションの長さを計測することにより達成される。第１の遅延は、リングのセクションの長さがリング長さの半分より小さいときにだけ導入される。信号が第１の経路から代替えの経路に交換される前に、経路上の信号が位相整列される。
【００１２】
上記技術を使用することで、従来は達成できなかった高い精度、信頼性および速度で、リングネットワーク内部でエラーなし交換を達成することができる。
【００１３】
【発明の実施の形態】
双方向ライン交換リング（ＢＬＳＲ）の動作原理
ポイントツウポイントの光波リンクシステムおよび／または交差接続システムに基づくネットワークにおいては、交換ポイントは、動作チャネルと代替えチャネルの双方から信号を受信する端ポイントが常に交換ポイントとなる。これは、各動作チャネルに対して専用の代替えチャネルがある専用保護リング（ＩＴＵ−Ｔ用語によるサブネットワーク接続あるいはＳＮＣおよびＡＮＳＩ用語におけるパス交換式リング）の場合も同様である。しかしながら、高度の帯域のＳＯＮＥＴ／ＳＤＨ  ＢＬＳＲｓ（ＩＴＵ−Ｔ用語におけるＭＳ共用保護リングあるいはＭＳ−ＳＰＲｉｎｇ）は高容量のバックボーンのネットワークを形成するために広く使用されている。これらのリングにおける交換ポイントは受信側ノードではない。
【００１４】
ＢＬＳＲ（ＭＳ−ＳＰＲｉｎｇ）の基本的な動作原理は次の通りである。
（１）各リングの半分の容量は、動作トラヒックに使用され、また残りの半分はリングのいずれかのセクションにおける故障のために利用される。これらの保護スロットはリングのいずれかの場所における故障により共用される。
（２）セクションが故障したときには、動作ポイントはリングの他側の回りの連結された保護セクションにより置き代わる。
（３）セクションが他のセクションに置き代わるので、リング内部の信号の最終目的地に拘らず、故障した位置の隣接するノードにおいて交換が行われる。
【００１５】
図３に典型的なＢＬＳＲ（あるいはＭＳ−ＳＰＲｉｎｇ）の動作を示した。便宜上、ＢＬＳＲは、ＳＴＳ−３ｃレベルで、エラーなし交換を備えたＯＣ−４８／ＳＴＭ−１６  ２ファイバーリング２０を含んでいる。なお、上記の原理はＳＴＳ−１信号および４ファイバーリングにも同様に適用される。
【００１６】
２ファイバー２４内の各隣接対ノードＡ−Ｆの間には２つのファイバー２０と２２がある。各ファイバーにおいて、従属タイムスロット１−８（８ＳＴＳ−３ｓ）（実線１で示した）の半分は通常のトラヒックに使用され、また残りの従属タイムスロット９−１６（破線９で示した）は通常は空のままである。スロット９−１６はリング２４内部における故障のための共用ベースで使用される。経路ＡＢＣＤ上のノードＡとＤの間の信号Ａ−Ｄは外側の（反時計方向）ファイバー２０のタイムスロット１内で確立される。その相手側の信号Ｄ−Ａは内側の（時計方向）のファイバー２２のスロット１内の経路ＤＣＢＡ上で確立される。図４に示したように経路ＡＢＣＤ上のセクション（つまりセクションＢＣ）内で故障があったときには、Ａ−Ｄ信号は内側のファイバー２２のスロット９上にノードＢ（故障に隣接した）において交換される。信号Ａ−Ｄは内側のファイバー２２のスロット９内のノードＣに到達する。信号Ａ−Ｄは対で内側のファイバー２２のスロット９から外側のファイバー２４のスロット１に交換される。元の信号経路ＡＢＣＤはよって、連結された経路ＢＡＦＥＤＥ（チャネル９−１６）により故障したセクションＢＣ（チャネル１−８）を置き換えることで回復される。
【００１７】
ここで、リングノードは光波端末システムおよび３／３交差接続システムの両方としての機能を果たす。しかしながら、２つの重要な違いがある。第１は、ＢＬＳＲにおけるブリッジングノードおよび交換ノードは発信元ではなくてＤＣＳベースのネットワークのように受信側である。第２に、ブリッジングおよび交換はＢＬＳＲでは外部制御システムからのコマンドなしに自律的に行われる。ブリッジングおよび交換のためにＢＬＳＲ内のノードの間の通信は２つのＳＯＮＥＴオーバヘッドバイトＫ１およびＫ２を経て、リングＡＰＳ（自動保護交換）プロトコルを使用して行われる。
【００１８】
リングネットワークに不適なＤＣＳネットワークにおけるエラーなし交換
リングネットワーク内では、交換は受信側ノードにおいて行われる。その代わり、交換は故障セクションに隣接したノートにおいて行われる。よって、いずれかの故障した信号のために交換が行われる位置は予め決定されない。例えば、セクションＢＣが故障した場合（図４）、ブリッジングおよび交換はそれぞれノードＢおよびＣにおいて行われる。ＤＣＳベースのネットワークにおけるエラーなし交換方法によれば、遅延が受信端において供給される。しかしながら、ＢＬＳＲにおいて端ノードは交換ノードではないので、中間の交換ノードにおける２つの信号を整列するために端ノードにおける遅延は使用できない。よって、ＤＣＳベースのネットワーク内で使用されるエラーなし交換方法は、ＢＬＳＲベースのネットワークには不適である。さらに、単一のリングに対して適切なエラーなし交換方法は、各リングにおける別の遅延により信号経路上の組み込まれた遅延の量が受容できない程度となることから、多重リング場所に延長するために変更される必要がある。
【００１９】
単一リングにおけるエラーなし交換
リングネットワークにおいてはエラーなし保護交換が適用できる２つの典型的な場合がある。
（１）リングの一側上で元に確立された２つのノードの間の信号がリングの他側を通ってリルーティングする必要（例えば、リングトラヒックにおける増大により）がある場合、および
（２）故障したセクションが修理された後、信号が修理されたセクションを通って元の経路に戻る必要がある場合。
【００２０】
単一のリングにおいて予め計画されたリルーティング
予め計画されたリルーティングは典型的には、単一リング内部で発振され終端する確立された信号が燐号の他の方向を通ってリルーティングする必要があるときに使用される。ＢＬＳＲの容量の有効利用はリング上のトラヒックに依存し、またこれは与えられたトラヒックパターンに依存する。リング内のトラヒックが増大すると、トラヒックパターンは変化する。よって、確立された信号をＢＬＳＲ内部でリルーティングする必要がある。図５ａに示したように、ノードＡとＤの間の信号Ａ−Ｄはチャネル１上の経路ＡＢＣＤ上で確立される。トラヒックパターンが年間で変化するとともに信号Ａ−Ｄを経路ＡＦＥＤに変更する必要がある。これらの信号をリングの１つの方向から他にリルーティングするエラーなしの交換がよってリングベースのネットワーク内のサービスの品質を著しく増大させる。
【００２１】
リルーティングは予め計画されることから、信号Ａ−Ｄが確立されたときにノードＤにおけるエラスティックストアが適当な遅延で設けられたとして、ブリッジングおよび交換は発振ノードおよび終端ノードにおいてそれぞれ行われる。ノートＡにおいて信号Ａ−Ｄが空のチャネル（つまり、経路Ｄにおけるチャネル５）にブリッジィングされる。図５ｂはこの場合の交換構成を例示したものである。経路ＡＢＣＤのチャネル１上のノードＤにおけるエラスティックストアＥＳ１上に設けられた遅延δｗは、経路ＡＦＥＤのチャネル５上の代替え経路が元の経路ＡＢＣＤよりも短いことを保証する。遅延δｗは信号Ａ−Ｄが最初に確立されたときに設けられなければならない。エラスティックストアの大きさは次の２つの式から計算できる。
【００２２】
【数１】
0003631592.tif 000002
ここで、ｌｗ、ｌａおよびｌＲはそれぞれ、運用の経路ＡＢＣＤ上、代替え経路ＡＦＥＤ、および全体のリング２４の信号の光路長である。信号Ａ−Ｄが確立されたときに遅延δｗが運用の経路に加えられ、またリングを回って双方向にノードＡから伝送された同じ信号を整列するために代替えの経路に遅延δａが加えられる。つまり、同じ信号がる経路ＡＢＣＤおよびＡＦＥＤ上を同時に伝送され、これらはノードＤにおいて位相整列される。
【００２３】
運用の経路が代替えの経路より短い場合（ｌｗ≦ｌａあるいはｌｗ≦ｌＲ／２）、信号Ａ−Ｄが確立されたときに遅延δｗ＝（ｌＲ−２ｌｗ）が加えられる。信号Ａ−Ｄが経路ＡＦＥＤを通ってリングの他側上で経路される必要がある場合、リングの両側から２つの同じ信号が、ストアＥＳ２内の他の経路（つまり、経路ＡＦＥＤ）の信号のわずかな遅延調節（δａが略０）でノードＤにおいて整列できる。ｌｗの最小値が略０の大きさであることから、エラスティックストアＥＳ１のサイズはｌＲに等しい。
【００２４】
他方、運用の経路ＡＢＣＤが代替えの経路ＡＦＥＤよりも長い場合（ｌｗ≧ｌａあるいはｌｗ≧ｌＲ／２）、運用の回路上のエラスティックストアは遅延なしで（δａ＝０）とされる。信号Ａ−ＤがリングＡＦＥＤの他側上の代替えの経路に交換する必要があるときには、経路ＡＢＣＤと経路ＡＦＥＤで同時に伝送される２つの同じ信号を整列するために、代替えの経路ＡＦＥＤ上に遅延δａ＝（２ｌｗ−ｌＲ）を加える必要がある。ｌｗの最大値がｌＲに等しいことから、エラスティックストアＥＳ２に対するｌＲの大きさは十分である。
【００２５】
運用のチャネルが代替えのチャネルに短いか長いかにより、信号のセットアップの間に遅延を設ける必要がある。おって、運用の経路の長さ、代替えの経路の長さ、および全体のリングを決定する必要がある。これらの計測は、リングを回る双方向でノード対の間の信号対をルーティングするとともに、受信ノードにおける各信号の到達時間を比較することで行われる。各ノード対に対するこれら計測された遅延差から各セクションの長さが容易に計算され、またリングターミナルのデータベース内に蓄積される。よって、本明細書および請求の範囲において説明した種々の経路のエラスティックストアに加えられる遅延の値を決定するために遅延時間あるいは経路長さのいずれが使用できる。伝送遅延を参照することで、経路長さをカバーでき、またその逆もできる。
【００２６】
リングターミナルのエラスティックストアの設計は最も長い可能性のあるリングに依存する。例えば、最大リング長さが１０００ｋｍである場合、リングを回る伝播遅延は約５ｍｓｅｃである。よって、リングターミナル内の各ＳＴＳ−３ｃ経路に対して必要とされるエラスティックストアの大きさは９７．５Ｋｂｙｔｅである。ＯＣ−８リングターミナル内で必要とされる、リングの両側からの受信側経路上のエラスティッルストア付きの集合ＲＡＭは、図５ａに示したように、３．１２Ｍｂｙｔｅである。
【００２７】
信号の受信側ノードにおいてエラスティックストア内に遅延が加えられる。しなしながら、以下に説明するように、故障後に信号が元の経路に復帰したとき、受信側ノードで必要でない交換ノードに遅延が加えられる。中間ノードにおいて組み込まれた遅延はリングの他の方向を回る経路がより短く、よってエラーなし交換がこの場所でも同様にして行えることを保証するものである。
【００２８】
リング回復後の元の経路への復帰
不測の故障の場合においてＡＮＳＩおよびＩＴＵ−Ｔ（Ｇ−８４１）規格に規定されたリング交換プロトコルを使用して信号が回復したとき、回復（５０ｍｓｅｃ以内に発生する）はエラーなしではない。しかしながら、故障したセクションが修理され、また回復された信号がその元の経路に復帰したとき、信号交換はエラーなしとできる。
【００２９】
図６に示したように、セクションＢＣにおいて故障があるとき、元は経路ＡＢＣＤ上であった信号（つまり信号Ａ−Ｄ）は経路ＡＢＡＦＥＤＣＤをとる。ファイバー２２の共用保護チャネル９は保護経路のＢＡＦＥＤＣ部分のために使用される。
【００３０】
故障したセクションが修理されたとき信号はノードＣにおいてファイバー２０の元の経路ＡＢＣＤ上のチャネル１からも受信される。図６ｂに示したように、ノードＣにおいてファイバー２０上の経路ＡＢＣＤのチャネル１上のエラスティックストアは次いで、ノードＣにおける２つの信号のコピーを整列するために、経路ＡＢＡＦＥＤＣの保護チャネル経路遅延がファイバー２０の経路ＡＢＣ上の経路遅延より大きいと仮定して、遅延δｃに調節される。
【００３１】
先に説明したように、リング経路長さに等しいエラスチィックストアの大きさはリングの両側上でルーティングされる同じ信号を整列するために十分である。、故障後の信号のエラーなし回復のために必要とされるエラスティックストアの大きさを次に説明する。セクションｉが故障した時の保護チャネルの経路長さｌｐｒｏｔは次の式で与えられる。
【数２】
0003631592.tif 000003
なお、ｌｗは元の経路（図６ａのＡＢＣＤ）上の信号の経路長さであり、ｌｉは故障したセクションｉ（ＢＣ）の経路長さであり、またｌ´ｉは保護セクション経路ＡＢＡＦＥＣの経路長さである。
【００３２】
リング内の最も長いセクションの経路長がリング長さの半分よりも小さい場合（すべてのｉに対して、ｌｉ＜ｌＲ／２）には、式（３）から次式が明らかとなる。
【数３】
0003631592.tif 000004
よって、元の信号の経路上のエラスティックストアの大きさδ＝ｌＲは、ノートＣにおいて元の経路（チャネル１、ファイバー２０）上のエラスティックストアＥＳ４に適切な遅延を加えることで、２つの同じ信号がノートＣにおいて整列することを保証するために十分である。
【００３３】
他方、可能なセクション長およびｌｉ≦ｌＲ／２に制約がない場合、保護経路は運用の経路よりも短くなる。実際の信号上に遅延を加えることができないので、ｉ番目のセクションの故障の際にその経路に交換された時には、保護経路上に（２ｌｉ−ｌＲ）に等しい遅延を加える必要がある。この場合でも動揺にエラーなしの交換を提供するために、リングノードは、隣接するセクション上に故障があるときに、ネットワークが保護経路上に適切な量の遅延を加えることができるように、利用可能なリンク長さ（多重セクション）情報を有していなければならない。ノード故障の場合は、２つの隣接するリンク故障と同じである。よって、ノード故障の場合、保護経路上に加えられた遅延は（２ｌｉ＋２ｌｉ−１−ｌＲ）に等しく、ｉおよびｉ−１は故障したノートに隣接するリンクである。よって、遠端の交換ノードは、セクション長さに関する制約のないエラーなしの交換のためのセクションに関する情報を有する必要がある。この情報は、リング保護交換プロトコル内に使用されるセクションオーバヘッドのＫ２バイトにより交換ノードに対して利用可能である。つまり、経路の各セクションの伝送遅延あるいは物理的な長さを決定するために必要なデータはルーティングされる信号に蓄積され伝送される。あるいは、このようなデータはリングネットワーク内に蓄積することもできる。どのセクションが故障したのかおよび対応するセクション長さ（あるいは伝送遅延）に関する情報により、交換前および交換後において交換ノードは適切な遅延を信号経路上に加える必要がある。
【００３４】
端ノード（例えば、ノードＤ）において規定された遅延が取り除かれず、またエラーなどのスイッチバックのために中間ノードにおいてｌＲに等しい遅延が加えられた（例えば、ノードＣにおいてストアＥＳ４に遅延が加えられた）場合、運用の経路（例えば、ファイバー２０の経路ＡＢＣＤ）上への全部の遅延はｌＲを越える。信号経路のいずれかのセクションにおける故障が発生した場合でも、遅延の累積を防止するため、端ノードにおけるものを含む信号経路上のすべてのエラスチィックストアからの遅延は取り除かなければならない。
【００３５】
図５ａに示した受信側における各従属のパス上にｌＲの大きさのリングターミナルにエラスティックストアが設けられていること、および各ノードがリンク長さ（あるいは伝送遅延）情報を備えたデータベースを有していることを条件として、単一のリング内における修理に続くトラヒックのリルーティングおよび元の経路へのフックによる両方のタイプの侵入はエラーなしとできる。
【００３６】
多重リングネットワーク
多重リング上でエンドツウエンド信号が確立されるとともに各リングにエラーなし機能が組み込まれた場合、信号経路上の全部の遅延はすべてのリングの経路長さの合計に等しい。この場合における信号経路上の全部の遅延は大きくすることができる。例えば、それぞれ長さが２０００ｋｍの５つのリング上の信号は１０，０００ｋｍないし５０ｍｓｅｃに等しい実効遅延を有している。ＩＴＵ−Ｔ勧告Ｇ．１１４によれば、電話接続のための片方向の最大の許容可能な遅延は４００ｍｓｅｃである。加えられた遅延が４００ｍｓｅｃより少ない場合でも、このような大きな遅延での接続の品質はエコーキャンセルなしでは騒音として知覚されてしまう。
【００３７】
良好な音声接続のための一般的なガイドラインは、片方向遅延が２５ｍｓｅｃより大きい場合には信号経路上でエコキャンセラを使用することである。よって、エコーキャンセルにより、加えられた遅延は信号品質に大きな影響を与えることがない。高品質ネットワークにおいては、エコーキャンセルはどの回路でも使用されている。さらに、信号のどの経路に遅延を加えることが必要である。
【００３８】
信号が故障したときには、遅延の累積を避けるため、影響を受ける信号経路上のエラスティックストアにおける遅延が取り除かれる。信号経路が単一リング内に限定されている場合には、リング内部のノードの間のＡＰＳ通信チャネルによって、遅延の取り除きは外部制御システムからの介入なしに行うことができる。しかしながら、多重リング上で信号が確立された場合、リング交換時間、５０ｍｓｅｃ以内で遅延除去を行うために多重リングの間で通信するための利用可能なチャネルはない。この目的のためにデータ通信チャネル（ＤＣＣ）を使用することは十分高速でない。遅延の累積は、信号経路上の中間ノードから端ノードに遅延をシフトすること、あるいはその逆により、信号への影響なしに回避することができる。
【００３９】
図７に示したように、信号Ａ−Ｑが経路ＡＢＣＤＰＱに沿ったリング１と２上のノードＡとノードＱの間で確立されている。リング１はノードＡ−Ｆを含み、またリング２はノードＰ−ＳおよびＤを含んでいる。リング２は図３に示したのと同じファイバーの配置を有しており、またリング２のファイバーは同じ符号および文字Ａで示したようにリング１の同様なファイバーに対応している。よって、リング２のファイバー２０Ａはリング１のファイバー２０に対応する。リングのいずれかにおけるその経路上での一側から他側への信号のエラーなしのリルーティングには、各リング内の運用の経路長さがｌＲ／２より大きいことが必要とされる。よって、ｌｗ≦ｌＲ／２の場合は、遅延はリングの出口ノードにおいて加えられる。運用の経路長さがｌＲ／２より大きい場合には遅延は加えられない。例えば、リング１のファイバー２０のチャネル１上のストアＥＳ１およびリング２のファイバー２０Ａのチャネル１上のストアＥＳ５に遅延が加えられる。あるいは、ストアＥＳ１は遅延なしで提供され、またストアＥＳ５は、両方のストアＥＳ１およびＥＳ５に加えられるであろう個々の遅延より大きな対応する値を有する単一の遅延で提供される。リング１のチャネル１上で故障がある場合、経路ＡＢＣＤから経路ＡＦＥＤへの信号を交換するために、ストアＥＳ５内の遅延はストアＥＳ１にシフトされる。遅延のシフトは図９ａおよび図９ｂに示した方法で行われる。エラーなしのリルーティングは、よって、各リングに対して個々に規定され管理される。
【００４０】
図６ｂに示したように、その元の経路への回復のためのエラーなしの交換後に交換ノード（ノードＣ）におけるエラスティックストアＥＳ４は遅延δｃに保持される。最悪のシナリオの場合において加えられる最大の遅延はｌＲに等しい。この遅延は累積的である。例えば、図６ｂに関連した説明したタイプのリング１内のセクションＢＣにおける故障からのエラーなしの回復後、δｗがノードＣにおいてストアＥＳ４に加えられる（図８）。リング２内のセクションＤＰ内で他の故障がある場合には、ノードＰにおいて別の遅延を加える必要がある。リング２内での２番目の故障の間においてノードＣにおける遅延が取り除かれない場合、全部の遅延が累積される。この遅延は、リング間の通信および制御が必要とすることから、５０ｍｓｅｃ以内で取り除くことができない。しかしながら、この遅延はリング１の交換ノード（ノードＣ）からリング２の出口ノード（ノードＱ）上のエラスティックストアＥＳ５にエラーなしでシフトすることができる。遅延がいずれかの中間ノードから端ノードにシフトされた場合、信号経路上における遅延は端ノードで検出され、またシフトされた遅延は故障検出に基づいて取り除くことができる。
【００４１】
セクションＢＣ内で故障がある場合、経路指定信号Ａ−Ｑ上のノードＤおよびＱにおける遅延は、この遅延がある場合には、取り除かれ、また、信号Ａ−Ｑがファイバー２２にリルーティングされ、次いで、図６ａおよび図６ｂに関連して説明したようにファイバー２０に復元される。ファイバー２０への復元の間、ストアＥＳ１およびＥＳ５にはそれらの元の遅延が提供される。図８に示したように、セクションＢＣにおける故障が回復したときにはノードＣにおいてエラスティックストアＥＳ４に遅延δｗが加えられる。この遅延は、エラーなし交換で、リング２の端ノードＱにおいてストアＥＳ５ＮＩシフトする必要がある。
【００４２】
図９ａを参照して、ノードＣからノードＱに遅延をシフトするために、信号Ａ−Ｑが発信側ノードＡにおいてファイバー２０および２０Ａの保護チャネル９上に接続される。ネットワーク（図示せず）に供される付加／ドロップマルチプレクサ（ＤＡＭ）とともに保護アクセスが利用可能である場合、チャネル９上の接続された信号Ａ−Ｑは図９ａに示したように、リング２を通って伝送される。保護アクセスが利用可能でない場合、他のいずれかの空のサービスチャネルが使用される。接続された信号Ａ−Ｑは次いで端ノードＱにおいて受信される。同時に、信号Ａ−Ｑはチャネル９上を伝送され、他の同じ信号はファイバー２０と２０Ａのチャネル１上をノードＡからノードＱに伝送される。次いで、２つの信号は端ノードＱにおいて、適切な遅延をチャネル９内の接続された信号上のエラスティックストアＥＳ６に加え、整列される。次いで、信号をチャネル９上の元の経路からチャネル９上の接続された経路に移動するため、エラーなしの交換が行われる。その後、チャネル１上の運用の経路上でノードＣにおいて遅延δｗ（ストアＥＳ４内）が取り除かれ、また、各リングの出口ノード（つまり、ノードＤとＱ）における遅延は変更されないままとされる。次いで、運用のチャネル１上のノードＱにおいてエラスティックストアＥＳ５上に適切な遅延を加えるとともにチャネル９上の接続された経路からチャネル１上の元の経路に図９ｂに示したようにエラーなしで交換して、チャネル１と９上で伝送された２つの同じ信号がノードＱにおいて再度整列される。中間ノードＣにおける遅延は、よって、ノードＣから端ノードＱにエラーなし交換でシフトされる。ストアＥＳ５内のこの遅延は、信号の経路上のいずれかのリングにおける次の故障の間に取り除かれる。端ノードへの遅延のシフトにより、このようにして、遅延の累積が除去される。
【００４３】
信号経路上の中間ノードから端ノードへの遅延のシフトは、いくつかのステップを含むものであり、またリング内のＡＤＭ端末の間の統合を必要とする。異なるリング内のＡＤＭの間の統合機能は、信号経路上のすべてのリングを制御する集中ネットワーク管理システムを必要とし、あるいは異なるリングに対する個別のネットワーク管理システムの間における制御および通信リンクを必要とする。あるいは、いくつかのリングの間のマニュアル統合は非常に複雑であり、エラー発生の傾向がある。このようなネットワーク管理システムがＳＯＮＥＴネットワークにおいて設けられているとする。さらに、各リングに対するエラスティックストアの大きさはリング長さに等しいので、ＡＤＭはエラスティックストアの大きさは、全体のネットワークで採用される最も長いリングの長さに等しくなるように設計される。
【００４４】
図１０は図３に示したタイプの単一のリングネットワークにおけるエラーなし交換の好ましい方法を例示したものである。ステップＳ１において、経路がノードＡからノードＤに設定される。ステップＳ２において、リング内の経路の種々のセクションの伝送遅延あるいは長さが比較される。ノードＤに遅延が加えられたか否かはこの比較に基づくものである。ステップＳ３において、ノードＤに遅延が加えられない。これは、データ通信の品質を劣化させる累積遅延を減じる重要な特長である。遅延が必要な場合には、ステップＳ１２において遅延が加えられる。
【００４５】
ステップＳ４において、経路ＡＢＣＤから経路ＡＦＥＤに交換するための決定が行われる。ステップＳ５において、位相整列のために遅延が加えられる（例えば、ＥＳ２を回復するため（図５ｂ）。ステップＳ６において、エラーなし交換が行われる（例えば、経路ＡＢＣＤからＡＦＥＤ（図５ｂ）に交換することにより）。これは、初期の経路上のトラヒックが代替えの経路への交換を必要とするときのような、予め計画されたリルーティングのためのエラーなし交換を提供するための重要な特長である。ステップＳ６の最後において、元の経路（例えば、経路ＡＢＣＤ）においてノードＤに加えられた遅延は取り除かれる。
【００４６】
ステップＳ７は経路セクションの故障のタイプを説明したもので、ファイバーのいくつかのチャネルだけが分断されている。図３を参照して、このような故障は経路ＡＢＣＤのチャネル１が分断される一方、その経路のチャネル９が動作している場合に発生する。ステップ８により説明された交換の例はファイバー２０上の経路ＡＢＣＤ上でのチャネル１からチャネル９への交換である。交換後には、ノードＤにおいて、遅延を含むチャネル１から、遅延が取り除かれる。ステップＳ１０とＳ１１において、故障がセクションＢＣ内である場合においてチャネル１上の故障が解消された後、チャネル１上の信号をチャネル９上の信号と整列させるため、小さい遅延がチャネル１上のストアＥＳ４に加えられる。
【００４７】
ステップＳ１４において、加える遅延を決定するために経路の適切なセクションの伝送遅延が比較される。ステップＳ９において、エラーなし交換を行うために遅延が加えられる（例えば、ストアＥＳ３（図６ａ）。例えばノードＤに加えられたような、故障した経路（例えば、経路ＡＢＣＤ）に加えられた先の遅延が取り除かれる。ステップＳ１５において、遅延は付加されず、またノードＤを含む、故障した経路から遅延が取り除かれる。ステップＳ１６およびＳ１７において、故障が修復され、位相整列が加えられた後にエラーなし交換が行われる。ステップＳ１７の例は、図６ｂに関連して説明したストアＥＳ４に加えられた遅延である。
【００４８】
図１１を参照して、ステップＳ４０において、リング１のノードＡからリング２のノードＱに設定される（図８）。ステップＳ４１において、リング１と２内の経路の種々のセクションの伝送遅延ないし長さが比較される。ノードＤあるいはノードＱにおいて遅延が加えられるかはこの比較に基づく。これは、データ伝送の品質を劣化させる累積遅延を取り除く重要な特長である。遅延が必要な場合、ステップＳ４３においてノードＱ単独あるいはノードＤとＱに加えられる。ステップＳ４４−Ｓ４６は、図１０のステップＳ４−Ｓ６の説明から理解される。ステップＳ４６の後、運用の経路の出口ノードにおいて初期に加えられた遅延が削除される。
【００４９】
ステップＳ４７は図１０のステップＳ７と同じ故障のタイプを説明している。ステップＳ４８の例は、図９ａに示したような、チャネル１のセクションＢＣ内の故障によるチャネル１からチャネル９への交換である。ステップＳ５０およびＳ５１において、チャネル１上の故障が直った後、位相整列遅延がチャネル１上のストアＥＳ４に加えられた後に運用の経路がチャネル１に交換される（図８）。ステップＳ５２において、図９ａおよび図９ｂに関して説明したノードＱへのシフトと同様な方法で、ストアＥＳ４に加えられた遅延がノードＤにシフトされる。
【００５０】
ステップＳ５３はセクションＢＣ内の図４に示したタイプの故障を参照している。ステップＳ５４において、経路の適切なセクションの伝送遅延が遅延を決定するために比較される。ステップＳ４９において、保護経路（例えば、ストアＥＳ３、図８）上に遅延が加えられる。ステップＳ４９の終りにおいて、ノードＤにおいて付加された遅延を含む、先のエラーなし交換の間において故障した経路上に加えられた遅延が取り除かれる。ステップＳ５５において、累積遅延を最小限とするために、保護経路に遅延が加えられない。ステップＳ５５の終りに、ノードＤにおける遅延を含む、故障した経路上の遅延が取り除かれる。ステップＳ５６とＳ５７において、運用の経路の故障が直された後、エラーなし交換が位相整列遅延を加えることで（例えば、ストアＥＳ４に遅延が加えられる、図６ｂ）行われる。ステップＳ５２において、図９ａと図９ｂに関連して説明したように、ステップＳ５７において加えられた遅延が、ノードＱにシフトされる。
【００５１】
以上、本発明の実施の形態を説明したが、請求の範囲に規定された技術思想および範囲を逸脱することなく、適宜変更することは当業者には自明である。
【図面の簡単な説明】
【図１】リングネットワークに対して適当でない従来のエラーなし交換方法をブロックで示す図である。
【図２ａ】ＤＣＳベースのネットワークに遅延を加える従来の方法をブロックで示す図である。
【図２ｂ】ＤＣＳベースのネットワーク上で伝送される２つの信号をフレーム整列するための方法をブロックで示す図である。
【図３】本発明で使用されるのに適した双方向ライン交換リングネットワークをブロックで示す図である。
【図４】本発明に適切である、図３に例示したネットワークの保護交換の１つの方法をブロックで示す図である。
【図５ａ】本発明の１つの好ましい形態に係る単一のリングネットワーク内の予め計画されたリルーティングをブロックで示す図である。
【図５ｂ】本発明の１つの好ましい実施の形態に係る単一のリングネットワーク内での予め計画されたリルーティングに対するエラーなし交換をブロックで示す図である。
【図６ａ】本発明の１つの好ましい実施の形態に係る第１の経路のセクションの故障後における第１の経路から第２の経路への交換をブロックで示す図である。
【図６ｂ】本発明の１つの好ましい実施の形態に係る故障が直った後における図６ａに示した第１の経路への復帰をブロックで示す図である。
【図７】２つのリングを有するネットワークを通る経路をブロックで示す図である。
【図８】本発明の１つの好ましい実施の形態に係る図７に示したネットワーク内の整列およびエラーなし交換の１つの好ましい形態の図式的な説明を示す図である。
【図９ａ】図７に示したネットワークの第２のリングの端ノードに遅延がシフトされる特定の予備ステップの好ましい形態の図式的な説明を示す図である。
【図９ｂ】図９ａで開始された遅延シフトが完了される別のステップの好ましい形態の図式的な説明を示す図である。
【図１０】本発明の好ましい形態に係る単一のリングネットワーク内におけるエラーなし交換の好ましい形態の処理の流れを示す図である。
【図１１】本発明の１つの好ましい形態に係る２つのリングネットワーク内におけるエラーなし交換の好ましい形態の処理の流れを示す図である。
【符号の説明】
９  スロット
２０、２２  ファーバー
【図１】
0003631592.tif 000005
【図２ａ】
0003631592.tif 000006
【図２ｂ】
0003631592.tif 000007
【図３】
0003631592.tif 000008
【図４】
0003631592.tif 000009
【図５ａ】
0003631592.tif 000010
【図５ｂ】
0003631592.tif 000011
【図６ａ】
0003631592.tif 000012
【図６ｂ】
0003631592.tif 000013
【図７】
0003631592.tif 000014
【図８】
0003631592.tif 000015
【図９ａ】
0003631592.tif 000016
【図９ｂ】
0003631592.tif 000017
【図１０】
0003631592.tif 000018
【図１１】
0003631592.tif 000019